(57)【要約】【課題】本考案は、複数の料理を同時に調理可能で設置スペースに優れた加熱調理器を提供する。【解決手段】加熱調理用金属板４又は加熱調理用石板５を選択的に設ける載置受け部６と、この載置受け部６の下方に設けられる加熱手段７と、この加熱手段７の下方に設けられ加熱調理用容器10が収納可能な加熱空間11とを有したことにより、２つ以上の料理を同時に、しかも、１つの加熱手段７のみで行うことができ、効率的な調理を行うことが可能となる。また、調理スペースを上下に配置したことで、２つ以上の料理を同時に行う場合においても、加熱調理器１の設置スペースは、加熱調理器１台分のスペースでよく、設置スペースが小さく設置場所の制限を少なくすることができる。さらに、加熱空間11に加熱調理用容器10を収納可能にし、加熱空間11の調理スペースを有効的に使用することが可能となる。【選択図】図１
0003125043.tif 000002
【実用新案登録請求の範囲】
【請求項１】
加熱調理用金属板又は加熱調理用石板を選択的に設ける載置受け部と、
この載置受け部の下方に設けられる加熱手段と、
この加熱手段の下方に設けられ加熱調理用容器が収納可能な加熱空間とを有したことを特徴とする加熱調理器。
【請求項２】
前記加熱手段を電気ヒータとしたことを特徴とする請求項１記載の加熱調理器。
【請求項３】
前記加熱調理用金属板又は加熱調理用石板の底面には、係合部が形成され、
前記載置受け部に、前記係合部に係合可能な被係合部が設けられたことを特徴とする請求項１又は２に記載の加熱調理器。
【請求項４】
前記加熱調理用金属板又は加熱調理用石板の上面には、凹溝が形成されたことを特徴とする請求項１〜３のいずれか１項に記載の加熱調理器。
【請求項５】
前記加熱空間は、前後方向に２つの開口部を備え、
前記加熱空間に前後方向に複数配置された前記加熱調理用容器と、
加熱調理用容器本体の奥行きを前記加熱空間の奥行きの半分以下に形成したことを特徴とする請求項１〜４のいずれか１項に記載の加熱調理器。
【請求項６】
前記加熱空間の下部に加熱調理用容器受け部材を設けるとともに、
前記加熱調理用容器本体の一側に取手を設け、
前記取手の基端側下部に形成された垂設部及び前記加熱調理用容器本体の底側が前記加熱調理用容器受け部材の周縁に当接可能に設けられたことを特徴とする請求項５に記載の加熱調理器。
【請求項７】
前記取手の上面及び下面に指掛け用凹部が形成され、
前記取手の下面には、放熱フィンが設けられたことを特徴とする請求項６に記載の加熱調理器。
【請求項８】
前記載置受け部を水平方向に複数並設したことを特徴とする請求項１〜７のいずれか１項に記載の加熱調理器。
【考案の詳細な説明】
【技術分野】
【０００１】
本考案は、加熱調理器に関する。
【背景技術】
【０００２】
従来、上部に肉、魚、野菜等の食品を加熱調理する加熱調理用金属板又は加熱調理用石板を備え、その加熱調理用金属板又は加熱調理用石板の下方に熱源として加熱手段を備えた加熱調理器では、特許文献１に示されるように、加熱調理器本体の上部に加熱調理用金属板を備え、加熱調理用金属板の下方に熱源として電気ヒータを備えた加熱調理器が開示されているが、同時２つ以上の調理を行う場合には、特許文献１の加熱調理器では、調理を行う調理スペースを１つしか備えていないため、同様の加熱調理器を別途に用意して、調理を行わなければならず、２つ以上の加熱調理器を並べて調理を行うことは、配置スペースを考える上でも、また、加熱調理器にかかる電気使用料を考慮する上でも、同時に２つ以上の調理を行うことが可能な加熱調理器が待たれていた。
【０００３】
そして、この特許文献１の加熱調理器の欠点を補う加熱調理器として、調理を行う加熱調理用金属板を２箇所に並設して、同時に２つの料理を行うことを可能とした加熱調理器がある（特許文献２）。
【特許文献１】特開２００２−２９１６２１号公報
【特許文献２】特開２０００−４１８６１号公報
【考案の開示】
【考案が解決しようとする課題】
【０００４】
しかし、特許文献２の加熱調理器は、実質的には、加熱調理器２台分の配置スペースを必要とするものであり、２箇所に設けられた加熱部にそれぞれ加熱手段を設けたことによる電気使用料の増加という課題を有していた。
【０００５】
そこで解決しようとする問題点は、前記の課題を克服する複数の料理を同時に調理可能な加熱調理器を提供することである。
【課題を解決するための手段】
【０００６】
請求項１の考案は、加熱調理用金属板又は加熱調理用石板を選択的に設ける載置受け部と、この載置受け部の下方に設けられる加熱手段と、この加熱手段の下方に設けられ加熱調理用容器が収納可能な加熱空間とを有したことである。
【０００７】
請求項２の考案は、前記加熱手段を電気ヒータとしたことである。
【０００８】
請求項３の考案は、前記加熱調理用金属板又は加熱調理用石板の底面には、係合部が形成され、前記載置受け部に、前記係合部に係合可能な被係合部が設けられたことである。
【０００９】
請求項４の考案は、前記加熱調理用金属板又は加熱調理用石板の上面には、凹溝が形成されたことである。
【００１０】
請求項５の考案は、前記加熱空間は、前後方向に２つの開口部を備え、前記加熱空間に前後方向に複数配置された前記加熱調理用容器と、加熱調理用容器本体の奥行きを前記加熱空間の奥行きの半分以下に形成したことである。
【００１１】
請求項６の考案は、前記加熱空間の下部に加熱調理用容器受け部材を設けるとともに、前記加熱調理用容器本体の一側に取手を設け、前記取手の基端側下部に形成された垂設部及び前記加熱調理用容器本体の底側が前記加熱調理用容器受け部材の周縁に当接可能に設けられたことである。
【００１２】
請求項７の考案は、前記取手の上面及び下面に指掛け用凹部が形成され、前記取手の下面には、放熱フィンが設けられたことである。
【００１３】
請求項８の考案は、前記載置受け部を水平方向に複数並設したことである。
【考案の効果】
【００１４】
請求項１の考案によれば、２つ以上の料理を同時に、しかも、１つの加熱手段のみで行うことができるため、効率的な調理を行うことが可能となる。また、調理スペースを上下に配置したことで、２つ以上の料理を同時に行う場合においても、加熱調理器の設置スペースは、加熱調理器１台分のスペースでよく、設置スペースが小さく設置場所の制限を少なくすることができる。さらに、加熱空間に加熱調理用容器を収納可能にしたことにより、加熱空間の調理スペースを有効的に使用することが可能となり、本考案の加熱調理器を使用した調理の自由度を向上させることができる。
【００１５】
請求項２の考案によれば、電気ヒータとしたことで、加熱手段の制御を行い易くすることができる。
【００１６】
請求項３の考案によれば、載置受け部に対する加熱調理用金属板又は加熱調理用石板の設置を簡単に行うことができる。
【００１７】
請求項４の考案によれば、加熱調理用金属板又は加熱調理用石板において加熱された食品の焼き汁が凹溝に流れ込むことにより、加熱調理用金属板又は加熱調理用石板の上面から余分な水分又は油分を排除し、食品の味を高めることが可能となる。
【００１８】
請求項５の考案によれば、加熱空間の調理スペースを効率的に使用することが可能となり、本考案の加熱調理器を使用した調理の自由度をさらに向上させることができる。また、加熱空間の出し入れの方向を２方向としたことにより、加熱調理器の操作性についても向上させることができる。
【００１９】
請求項６の考案によれば、加熱調理用容器の取手に垂設部を設けたことで、加熱空間に作業者の手が直接触れることが防がれ安全性が向上するとともに、加熱空間に加熱調理用容器を複数配置した場合の位置決めが簡単になり、さらに、加熱空間から加熱調理用容器が脱落することも防がれ、加熱調理器の操作性が向上する。
【００２０】
請求項７の考案によれば、加熱調理用容器を持ち易くすることで、加熱調理用容器の操作性を向上させ、また、加熱調理用容器を放熱性の高いものとすることで安全性を向上させる。
【００２１】
請求項８の考案によれば、加熱調理器を用いて同時行うことのできる調理の数を増やしたことにより、より効率的に調理を行うことが可能となる。
【考案を実施するための最良の形態】
【００２２】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００２３】
図１乃至図10は、本考案における実施例１を示しており、加熱調理器１は、左側壁２及び右側壁３を有しており、それぞれ下方に脚部２a,３aを備えた左側壁２及び右側壁３には加熱調理用金属板４又は加熱調理用石板５を選択的に設ける載置受け部６と、載置受け部６の下方に設けられる加熱手段７と、加熱手段７の下方に設けられ、その前後に設けられた第１の開口部８と第２の開口部９により加熱調理用容器10が収納可能な加熱空間11とを備えている。以下、前述の構成について詳細に説明する。
【００２４】
前記左側壁２及び右側壁３はそれぞれ、内壁12,13と内壁12,13の外側を覆う外壁14,15とからなる二重構造となっており、正面視矩形状の内壁12,13は平行間隔を有して左右に配置され、内壁12,13の上方並びに下方の前後端にはそれぞれ、左右方向に沿って水平に配置された線材16,17,18,19により連結されている。内壁12,13の上方を連結している線材16,17は加熱調理用金属板４又は加熱調理用石板５を選択的に設ける載置受け部６となり、また内壁12,13の下方を連結している線材18,19には、加熱調理用容器10が配置可能なトレイ20が一体的に固定されている。
【００２５】
また、内壁12,13の上方を連結している線材16,17の下側には、加熱手段７たる電気ヒータ21が設けられており、この電気ヒータ21は、一本の棒状の部材を水平面上で、図２に示すような略Ｍ字形状に形成されたもので、電気ヒータ21の両端は右側壁３の内壁13の上部から右側壁３の外壁15に設けられた電気ヒータ用温度制御部22へと連結されている。電気ヒータ用温度制御部22には、電気ヒータ21の電源のオン・オフスイッチを兼用する加熱温度調節用のダイヤル23と、表示部24が備えられている。さらに電気ヒータ21は、右側壁３の下方から伸びるコード25の先端に備えられたコンセント26より電力が供給される。なお、ヒータ本体27は、トレイ20の上部から距離Ｌ１（例えば、４９．５〜５０．５ｍｍ、本実施例では５０．０ｍｍ）の高さに設けられている。
【００２６】
さらに、電気ヒータ21の両端と対向する左側壁２の内壁12の上部には、図２に示すようにコ字状に形成されたヒータ受け部材28が設けられており、ヒータ受け部材28は図３に示すように電気ヒータ21の下部を支持しており、ヒータ受け部材28と電気ヒータ21とは、略Ω状に形成された接続片29により一体的に固定されている。
【００２７】
また、図７又は10に示すように、トレイ20は矩形の金属板の周縁30を立ち上げてさらに下方に向けて折り返した浅底皿形に形成されたものであり、このトレイ20の下方に折り返された周縁30の先端は、トレイ20の底面31より下方に距離Ｌ２（例えば、１．０〜２．０ｍｍ、本実施例では１．５ｍｍ）だけ突出したものである。
【００２８】
さらに、図２に示すように、このトレイ20の底面31には、加熱調理用容器10が４個配置可能であり、この加熱調理用容器10は、加熱調理用容器本体32をそれぞれ、矩形又は台形に形成された周縁33を上方に距離Ｌ３（例えば、１．３〜２．３ｍｍ、本実施例では１．８ｍｍ）だけ立ち上げた浅底皿形に形成されたもので、周縁33の一側には、水平方向外側に延設された延設部34が形成されており、この延設部34には耐熱性合成樹脂からなる取手35が設けられている。
【００２９】
尚、加熱調理用容器本体32の周縁33における前後方向の距離（奥行き）Ｌ４（例えば、８．６〜９．６ｍｍ、本実施例では９．１ｍｍ）及び左右方向の距離（幅）Ｌ５（例えば、８．６〜９．６ｍｍ、本実施例では９．１ｍｍ）はともに、トレイ20の前後方向の距離（奥行き）Ｌ６（例えば、１９．４〜２０．４ｍｍ、本実施例では１９．９ｍｍ）及び左右方向の距離（幅）Ｌ７（例えば、１８．５〜１９．５ｍｍ、本実施例では１９．０ｍｍ）の半分以下に形成されている。
【００３０】
また、図１又は５に示すように、加熱調理用容器10の取手35には、その上面及び下面に指掛け用凹部36,37が形成され、下面に形成された指掛け用凹部37は、取手35の下面の外郭を構成する枠体38の内部に互いに平行に配置されたフィン部材39,39,39,39,39の中央に形成された半円弧状の切欠け部40,40,40,40,40により形成されている。
【００３１】
さらに、取手35の基端部分の下側には、取手35から下方に距離Ｌ８（例えば、０．５〜１．５ｍｍ、本実施例では１．０ｍｍ）だけ延びた矩形な板状の垂設部41が設けられている。
【００３２】
また、図６に示すように、加熱調理器１の載置受け部６には、加熱調理用金属板４が載置可能であり、この加熱調理用金属板４は、トレイ20と同様に矩形の金属板の周縁を立ち上げてさらに下方に向けて折り返した浅底皿形に形成されたものであり、この加熱調理用金属板４の下方に折り返された周縁42の先端は加熱調理用金属板４の底面より下方にＬ９（例えば、１．０〜２．０ｍｍ、本実施例では１．５ｍｍ）だけ突出したものである。
【００３３】
さらに、図７に示すように、この周縁42の左側面43及び右側面44のそれぞれ、前側と後側には逆Ｕ字型をした係合用切欠け部45,45,45,45が形成されている。また、加熱調理用金属板４の平面46には左右方向に沿って形成された凸条47が前後方向に所定間隔を有して平行に前後方向に複数設けられている。平面46に形成された複数の凸条47により、平面46のその他の平坦部分に凹溝48が形成されることとなる。
【００３４】
また、図８に示すように、加熱調理器１の載置受け部６には、前記加熱調理用金属板４に替わって加熱調理用石板５が載置可能であり、この加熱調理用石板５は、自然の岩石又は人工のセラミックス等からなる平面方形の板体を、板体の周縁49に沿って上面50に凹溝51を形成するとともに、図９に示すように、載置受け部６に係合可能な係合部として、下面の前側端と後側端をそれぞれ、下方に突設させた突設部53,54が設けられている。
【００３５】
本考案の実施例１に係る加熱調理器１の使用方法及び作用について述べると、加熱調理器１の載置受け部６に加熱調理用金属板４及び加熱調理用石板５のどちらかを選択し、加熱調理用金属板４を選択した場合、加熱調理用金属板４の係合用切欠け部45,45,45,45を加熱調理器本体32の載置受け部６の線材16,17に係合させて設置を行う。同様に、加熱調理用石板５を選択した場合、加熱調理用石板５の突設部53,54を載置受け部６の線材16,17に係合させて設置を行う。
【００３６】
一方、加熱空間11に加熱調理用容器10を設置する場合には、この加熱調理用容器10は、加熱空間11の前側に形成された第１の開口部８又は加熱空間11の後側に形成された第２の開口部９の両方向から加熱空間11の内部のトレイ20へと配置が可能であり、トレイ20の周縁30を乗り越えてトレイ20の底面31に配置される場合に、さらにトレイ20の底面31の中央部分へと押し込むと取手35の基端側下方に形成された垂設部41が当接することとなる。
【００３７】
また、第１及び第２の開口部８,９の両方向から加熱調理用容器10をトレイ20へ配置した場合に、図10に示すように一方の加熱調理用容器10をトレイ20の底面31の中央部分へと押し込み、取手35の垂設部41をトレイ20の周縁30に当接させた場合、他方の加熱調理用容器10の底部がトレイ20の周縁30に乗り上げられるが他方の加熱調理用容器10がトレイ20から脱落することはなく、一方の加熱調理用容器10を前後方向に押し込んだ場合における他方の加熱調理用容器10のトレイ20からの脱落が防止される。
【００３８】
次に、載置受け部６に対し加熱調理用金属板４又は加熱調理用石板５の設置が行われ、また加熱空間11のトレイ20に対し、加熱調理用容器10の設置が行われた加熱調理器１にコンセント26を外部電源（図示せず）に接続し、電気ヒータ21に電力を供給する。そして、ダイヤル４を時計回りに回動させ電気ヒータ21をオンの状態して、電気ヒータ21を加熱させる。この時、電気ヒータ21がオン状態では表示部24は点灯し、オフ状態では表示部24は消灯している。
【００３９】
また、電気ヒータ21から発せられる熱により、加熱調理用金属板４及び加熱調理用石板５の底部が加熱される。加熱調理用金属板４の平面46に載せられた食品が加熱調理され、その時、食品から生じる焼き汁は、加熱調理用金属板４を用いた場合には、食品を支持している複数の凸条47の間に流れ落ちる。同様に、加熱調理用石板５を用いた場合には、食品が載せられた上面に設けられた凹溝48に焼き汁は流れ落ちる。このように、食品から生じる焼き汁を食品から隔離し、加熱調理用金属板４及び加熱調理用石板５の上面から余分な水分及び油分を取り除くことで、加熱調理された食品の味を高める。また、加熱調理用石板５は、加熱すると遠赤外線を放射し、加熱調理用石板５に載せられた食品は加熱調理用石板５から放射される遠赤外線を受けることで、その食品の味が高められる。
【００４０】
同時に、加熱調理用容器10に入れられた食品は、上方から電気ヒータ21の熱を受け、加熱調理される。
【００４１】
そして、食品の加熱調理の終了に伴い、ダイヤル４を反時計回りに回動させ電気ヒータ21をオフの状態する。そして、加熱調理された食品を加熱調理器１から盛り皿などに移す。このとき、電気ヒータ21により加熱された加熱調理用容器10の取手35は、下面に複数のフィン39を備えているため、取手35の下面の放熱性が高く、さらに取手35の下面と作業者の手との接触面積が小さく、取手35の軽量化が図れる。
【００４２】
また、上面及び下面に指掛け用凹部36,37が形成されたことで、取手35は、手の形状に適合したものとなる。さらに、取手35の基端側下部に垂設部41が形成されたことで、取手35の下側に添えられた指とトレイ20との間に垂設部41が位置し、作業者の指が高温状態のトレイ20に直接触れることがない。
【００４３】
さらに、載置受け部６に設けられた加熱調理用金属板４又は加熱調理用石板５と、加熱空間11とを、それぞれ電気ヒータ21に非接触な構造としたことで、電気ヒータ21から発せられる熱を載置受け部６に設けられた加熱調理用金属板４又は加熱調理用石板５と加熱空間11とに相互に干渉なく伝え、加熱調理用金属板４又は加熱調理用石板５で低温状態の食品が調理された場合にも、加熱空間11における食品の加熱調理に影響が出ることがない。また同様に、加熱空間11で低温状態の食品が調理された場合においても、加熱調理用金属板４又は加熱調理用石板５における食品の調理に影響が出ることがない。
【００４４】
以上のように、前記実施例では請求項１に対応して、加熱調理用金属板４又は加熱調理用石板５を選択的に設ける載置受け部６と、この載置受け部６の下方に設けられる加熱手段７と、この加熱手段７の下方に設けられ加熱調理用容器10が収納可能な加熱空間11とを有したことにより、２つ以上の料理を同時に、しかも、１つの加熱手段７のみで行うことができるため、効率的な調理を行うことが可能となる。また、調理スペースを上下に配置したことで、２つ以上の料理を同時に行う場合においても、加熱調理器１の設置スペースは、加熱調理器１台分のスペースでよく、設置スペースが小さく設置場所の制限を少なくすることができる。さらに、加熱空間11に加熱調理用容器10を収納可能にしたことにより、加熱空間11の調理スペースを有効的に使用することが可能となり、本考案の加熱調理器１を使用した調理の自由度を向上させることができる。
【００４５】
また、前記実施例では請求項２に対応して、前記加熱手段７を電気ヒータ21としたことにより、加熱手段７の制御を行い易くすることができる。
【００４６】
さらに、前記実施例では請求項３に対応して、前記加熱調理用金属板４又は加熱調理用石板５の底面には、係合部45,53,54が形成され、前記載置受け部６に、前記係合部45,53,54に係合可能な被係合部16,17が設けられたことにより、載置受け部６に対する加熱調理用金属板４又は加熱調理用石板５の設置を簡単に行うことができる。
【００４７】
また、前記実施例では請求項４に対応して、前記加熱調理用金属板４又は加熱調理用石板５の上面には、凹溝48,51が形成されたことにより、加熱調理用金属板４又は加熱調理用石板５において加熱された食品の焼き汁が凹溝48,51に流れ込むことにより、加熱調理用金属板４又は加熱調理用石板５の上面から余分な水分又は油分を排除し、食品の味を高めることが可能となる。、
さらに、前記実施例では請求項５に対応して、前記加熱空間11は、前後方向に２つの開口部８,９を備え、前記加熱空間11に前後方向に複数配置された前記加熱調理用容器10と、加熱調理用容器本体32の奥行きＬ４を前記加熱空間11の奥行きＬ６の半分以下に形成したことにより、加熱空間11の調理スペースを効率的に使用することが可能となり、本考案の加熱調理器１を使用した調理の自由度をさらに向上させることができる。また、加熱空間11の出し入れの方向を２方向としたことにより、加熱調理器１の操作性についても向上させることができる。
【００４８】
また、前記実施例では請求項６に対応して、前記加熱空間11の下部に加熱調理用容器10受け部材を設けるとともに、前記加熱調理用容器10本体の一側に取手35を設け、前記取手35の基端側下部に形成された垂設部41及び前記加熱調理用容器本体32の底側が前記加熱調理用容器受け部材20の周縁30に当接可能に設けられたことにより、加熱調理用容器10の取手35に垂設部41を設けたことで、加熱空間11に作業者の手が直接触れることが防がれ安全性が向上するとともに、加熱空間11に加熱調理用容器10を複数配置した場合の位置決めが簡単になり、さらに、加熱空間11から加熱調理用容器10が脱落することも防がれ、加熱調理器１の操作性が向上する。
【００４９】
さらに、前記実施例では請求項７に対応して、前記取手35の上面及び下面に指掛け用凹部36,37が形成され、前記取手35の下面には、放熱フィン39が設けられたことにより、加熱調理用容器10を持ち易くすることで、加熱調理用容器10の操作性を向上させ、また、加熱調理用容器10を放熱性の高いものとすることで安全性を向上させる。
【００５０】
尚、左側壁２及び右側壁３の外壁14,15の表面、加熱調理用金属板４の表面、加熱調理用容器本体32の表面はともにテフロン(登録商標)加工が施されており、それによってそれぞれの表面には汚れが付着し難くなっている。
【実施例２】
【００５１】
図11は、本考案における実施例２を示し、上記実施例１と同一部分に同一符号を付し、その詳細な説明を省略して詳述すると、この例では、加熱調理器１は、左側壁２及び右側壁３を有し、この左側壁２と右側壁３の中間に下方に脚部55aを備えた中間側壁55を配置したものである。左側壁２及び右側壁３そして中間側壁55には、加熱調理用金属板４又は加熱調理用石板５を選択的に設ける載置受け部６を２つ並設されており、それぞれの載置受け部６の下方に設けられる加熱手段７と、加熱手段７の下方に設けられ、その前後に設けられた第１の開口部８と第２の開口部９により加熱調理用容器10が収納可能な加熱空間11とを備えたものである。
【００５２】
前記左側壁２及び右側壁３はそれぞれ、内壁12,13と内壁12,13の外側を覆う外壁14,15とからなる二重構造となっており、また、中間側壁55は、２つの正面視矩形状の内壁56,57を平行に配置し、この内壁56,57を外壁58により連結させたものである。
【００５３】
また、左側壁２及び中間側壁の内壁12,56は平行間隔を有して左右に配置され、内壁12,56の上方並びに下方の前後端にはそれぞれ、左右方向に沿って水平に配置された線材16,17,18,19により連結されている。内壁12,56の上方を連結している線材16,17は加熱調理用金属板４又は加熱調理用石板５を選択的に設ける載置受け部６となり、また、内壁12,56の下方を連結している線材18,19には、加熱調理用容器10が配置可能なトレイ20が一体的に固定されている。
【００５４】
同様に、中間側壁55及び右側壁３についても、その内壁57,13は平行間隔を有して左右に配置され、内壁57,13の上方並びに下方の前後端にはそれぞれ、左右方向に沿って水平に配置された線材16,17,18,19により連結されている。内壁57,13の上方を連結している線材16,17は、加熱調理用金属板４又は加熱調理用石板５を選択的に設ける載置受け部６となり、また、内壁57,13の下方を連結している線材18,19には、加熱調理用容器10が配置可能なトレイ20が、一体的に固定されている。
【００５５】
このように本実施例では、加熱調理器１に載置受け部６を２箇所に設け、さらに、加熱調理器１の下部に位置する加熱空間11を２箇所に設けたことにより、載置受け部６に設置される加熱調理用金属板４又は加熱調理用石板５と加熱空間11とで同時に複数の調理を可能にするとともに、各載置受け部６,６と、各加熱空間11,11とでそれぞれ同時に複数の調理を行うことが可能となり、それにより、加熱調理器１の２箇所に設けられた、一方の載置受け部６では、加熱調理用金属板４を用いた調理を行い、他方の載置受け部６では、加熱調理用石板５を用いた調理を行うことができるとともに、同様に加熱調理器１の下部の２箇所に設けられた、それぞれの加熱空間11,11で、異なる料理を同時に行うことができるとともに、特に加熱空間11,11では、それぞれが、各載置受け部６及び中間側壁55により仕切られたことで、各加熱空間11において、隣り合うそれぞれの加熱空間11,11で行われる料理の匂いが移り難い構造となる。
【００５６】
これにより、加熱調理器１を用いて同時に４種類以上の料理を行うことを可能とし、効率的に調理を行うことが可能となり、各請求項において上記実施例１と同様な作用・効果を奏する。
【００５７】
また、上記実施例では請求項８に対応して、前記加熱調理器１に、前記載置受け部６を水平方向に複数並設したことにより、加熱調理器１を用いて同時行うことのできる調理の数を増やし、より効率的に調理を行うことが可能となる。
【００５８】
尚、本実施例では、各電気ヒータ21,21の制御を右側壁３に設けられた電気ヒータ用温度制御部22にて、一元的に温度制御可能なものが、図示されているが、本実施例の変形例として、左側壁２にも右側壁３に設けられたのと同様な電気ヒータ用温度制御部22を備えさせて、各電気ヒータ21,21の温度制御をそれぞれ独立して行うようにしても構わないものとする。
【００５９】
また、載置受け部６,６に載置される加熱調理用金属板４及び加熱調理用石板５の組み合せについても、加熱調理用鉄板４と加熱調理用鉄板４、加熱調理用石板５と加熱調理用石板５でも構わないものとし、その場合には、加熱調理器１に２箇所に設けられた載置受け部６,６を用いて、同一の料理を一度に大量に調理できるというという優れた効果を有することとなる。
【００６０】
尚、中間側壁55の外壁58の表面には、テフロン（登録商標）加工が施されており、それによってその表面には汚れが付着し難くなっている。
【図面の簡単な説明】
【００６１】
【図１】本考案の実施例１における加熱調理器の斜視図である。
【図２】本考案の実施例１における加熱調理器の平面図である。
【図３】本考案の実施例１における加熱調理器の正面図である。
【図４】図１において加熱調理用容器を取り外した状態の斜視図である。
【図５】本考案の実施例１における加熱調理用容器の斜視図である。
【図６】本考案の実施例１における加熱調理用金属板を載置した状態の加熱調理器の斜視図である。
【図７】本考案の実施例１における加熱調理用金属板の斜視図である。
【図８】本考案の実施例１における加熱調理用金石板を載置した状態の加熱調理器の斜視図である。
【図９】本考案の実施例１における加熱調理用石板の斜視図である。
【図１０】本考案の実施例１における加熱調理器の断面図である。
【図１１】本考案の実施例２における加熱調理器の斜視図である。
【符号の説明】
【００６２】
１  加熱調理器
４  加熱調理用金属板
５  加熱調理用石板
６  載置受け部
７  加熱手段
８  第１の開口部
９  第２の開口部
10  加熱調理用容器
11  加熱空間
16  線材（被係合部）
17  線材（被係合部）
20  トレイ（加熱調理用容器受け部材）
21  電気ヒータ
30  周縁（トレイ）
32  加熱調理用容器本体
35  取手
36,37  指掛け用凹部
39  フィン部材（放熱フィン）
41  垂設部
45  係合用切欠け部（加熱調理用金属板）
48,51  凹溝
52  係合部（加熱調理用石板）
53,54  突設部
Ｌ４  奥行き（加熱調理用容器本体）
Ｌ６  奥行き（トレイ）
【図１】
0003125043.tif 000003
【図２】
0003125043.tif 000004
【図３】
0003125043.tif 000005
【図４】
0003125043.tif 000006
【図５】
0003125043.tif 000007
【図６】
0003125043.tif 000008
【図７】
0003125043.tif 000009
【図８】
0003125043.tif 000010
【図９】
0003125043.tif 000011
【図１０】
0003125043.tif 000012
【図１１】
0003125043.tif 000013